(57)【特許請求の範囲】
【請求項１】
画面上の複数の位置に対するタッチ、又は、近接の検出が可能なパネルに表示される、画像を撮像する複数の撮像部それぞれに対応する操作領域に対する、前記画面と垂直な方向の垂直操作に対応する操作信号を受け付ける操作信号受付部と、
前記撮像部ごとに、前記撮像部に対応する操作領域に対する前記垂直操作に応じて、前記撮像部に関連する処理を制御する制御部と
を備え、
前記制御部は、前記複数の撮像部のズーム倍率と撮像方向の少なくとも一方の一致の有無に基づいて、前記複数の撮像部で撮像される画像を表示させる
撮像制御装置。
【請求項２】
前記制御部は、前記撮像部ごとに、前記撮像部に対応する操作領域に対するタッチの圧力に応じて、前記処理を制御する
請求項１に記載の撮像制御装置。
【請求項３】
前記制御部は、前記撮像部ごとに、前記撮像部に対応する操作領域に近接する物体の、前記パネルからの距離に応じて、前記処理を制御する
請求項１に記載の撮像制御装置。
【請求項４】
前記撮像部は、光学系を有し、
前記処理は、前記光学系に関連する処理である
請求項１に記載の撮像制御装置。
【請求項５】
前記光学系は、
レンズと
絞りと
を有し、
前記処理は、前記レンズの駆動処理である
請求項４に記載の撮像制御装置。
【請求項６】
前記制御部は、前記レンズの駆動処理を制御することにより、そのレンズを有する前記撮像部のズーム倍率を制御する
請求項５に記載の撮像制御装置。
【請求項７】
前記制御部は、前記複数の撮像部のズーム倍率と撮像方向の少なくとも一方が一致していない場合、前記複数の撮像部で撮像される画像それぞれを、その画像を撮像した撮像部のズーム倍率に対応するサイズで表示させる
請求項６に記載の撮像制御装置。
【請求項８】
前記制御部は、前記レンズの駆動処理を制御することにより、そのレンズを有する前記撮像部のフォーカスを制御する
請求項５に記載の撮像制御装置。
【請求項９】
前記処理は、前記光学系が有する絞りに関連する処理である
請求項４に記載の撮像制御装置。
【請求項１０】
前記光学系は、光軸と垂直な方向に移動することにより、手ぶれを補正する手ぶれ補正機能を有し、
前記処理は、前記手ぶれ補正機能のオンとオフを切り換える処理である
請求項４に記載の撮像制御装置。
【請求項１１】
前記撮像部は、
光学系と、
前記光学系からの光を画像信号に光電変換する撮像素子と、
前記撮像素子で得られる画像信号の画像処理を行う画像処理部と
を有し、
前記処理は、前記画像処理である
請求項１ないし請求項３のいずれかに記載の撮像制御装置。
【請求項１２】
前記画像処理部は、前記画像処理として、手ぶれを補正する手ぶれ補正処理を行い、
前記処理は、前記手ぶれ補正処理のオンとオフを切り替える処理である
請求項１１に記載の撮像制御装置。
【請求項１３】
前記制御部は、前記撮像部ごとに、前記撮像部に対応する操作領域に対する前記画面と平行な方向の平行操作に応じて、前記撮像部の撮像方向を制御する
請求項１ないし請求項１２のいずれかに記載の撮像制御装置。
【請求項１４】
前記制御部は、前記複数の撮像部それぞれで撮像される撮像範囲を表示させる
請求項１３に記載の撮像制御装置。
【請求項１５】
画面上の複数の位置に対するタッチ、又は、近接の検出が可能なパネルに表示される、画像を撮像する複数の撮像部それぞれに対応する操作領域に対する、前記画面と垂直な方向の垂直操作に応じて、前記撮像部ごとに、前記撮像部に関連する処理を制御する制御ステップ
を含み、
前記制御ステップの処理では、前記複数の撮像部のズーム倍率と撮像方向の少なくとも一方の一致の有無に基づいて、前記複数の撮像部で撮像される画像を表示させる
撮像制御方法。
【請求項１６】
画面上の複数の位置に対するタッチ、又は、近接の検出が可能なパネルに表示される、画像を撮像する複数の撮像部それぞれに対応する操作領域に対する、前記画面と平行な方向の平行操作に対応する操作信号を受け付ける操作信号受付部と、
前記撮像部ごとに、前記撮像部に対応する操作領域に対する前記平行操作に応じて、前記撮像部の撮像方向を制御する制御部と
を備え、
前記制御部は、前記複数の撮像部のズーム倍率と撮像方向の少なくとも一方の一致の有無に基づいて、前記複数の撮像部で撮像される画像を表示させる
撮像制御装置。
【請求項１７】
前記制御部は、前記複数の撮像部それぞれで撮像される撮像範囲を表示させる
請求項１６に記載の撮像制御装置。
【請求項１８】
画面上の複数の位置に対するタッチ、又は、近接の検出が可能なパネルに表示される、画像を撮像する複数の撮像部それぞれに対応する操作領域に対する、前記画面と平行な方向の平行操作に応じて、前記撮像部ごとに、前記撮像部の撮像方向を制御する制御ステップ
を含み、
前記制御ステップの処理では、前記複数の撮像部のズーム倍率と撮像方向の少なくとも一方の一致の有無に基づいて、前記複数の撮像部で撮像される画像を表示させる
撮像制御方法。
【発明の詳細な説明】
【技術分野】
【０００１】
本技術は、撮像制御装置、及び、撮像制御方法に関し、特に、例えば、画像を撮像する撮像部として、複数の撮像部を有する撮像装置の操作性を向上させることができるようにする撮像制御装置、及び、撮像制御方法に関する。
【背景技術】
【０００２】
例えば、２眼の撮像系を有するディジタルカメラ（２眼カメラ）によれば、ステレオ画像（3D(Dimension)画像）を撮像することができる。
【０００３】
また、２眼の撮像系のうちの、初期動作に要する時間が短い方の撮像系を優先的に使用することにより、画像を迅速に撮像する２眼カメラが提案されている（例えば、特許文献１を参照）。
【先行技術文献】
【特許文献】
【０００４】
【特許文献１】特開2006-093859号公報
【発明の概要】
【発明が解決しようとする課題】
【０００５】
ところで、２眼カメラ等の、２以上の撮像系を有するディジタルカメラ等の撮像装置については、撮像装置の操作性を向上させるUI(User Interface)の提案が要請されている。
【０００６】
本技術は、このような状況に鑑みてなされたものであり、操作性を向上させることができるようにするものである。
【課題を解決するための手段】
【０００７】
本技術の第１の側面の撮像制御装置は、画面上の複数の位置に対するタッチ、又は、近接の検出が可能なパネルに表示される、画像を撮像する複数の撮像部それぞれに対応する操作領域に対する、前記画面と垂直な方向の垂直操作に対応する操作信号を受け付ける操作信号受付部と、前記撮像部ごとに、前記撮像部に対応する操作領域に対する前記垂直操作に応じて、前記撮像部に関連する処理を制御する制御部とを備え、前記制御部は、前記複数の撮像部のズーム倍率と撮像方向の少なくとも一方の一致の有無に基づいて、前記複数の撮像部で撮像される画像を表示させる撮像制御装置である。
【０００８】
本技術の第１の側面の撮像制御方法は、画面上の複数の位置に対するタッチ、又は、近接の検出が可能なパネルに表示される、画像を撮像する複数の撮像部それぞれに対応する操作領域に対する、前記画面と垂直な方向の垂直操作に応じて、前記撮像部ごとに、前記撮像部に関連する処理を制御する制御ステップを含み、前記制御ステップの処理では、前記複数の撮像部のズーム倍率と撮像方向の少なくとも一方の一致の有無に基づいて、前記複数の撮像部で撮像される画像を表示させる撮像制御方法である。
【０００９】
以上のような第１の側面においては、画面上の複数の位置に対するタッチ、又は、近接の検出が可能なパネルに表示される、画像を撮像する複数の撮像部それぞれに対応する操作領域に対する、前記画面と垂直な方向の垂直操作に応じて、前記撮像部ごとに、前記撮像部に関連する処理が制御され、前記複数の撮像部のズーム倍率と撮像方向の少なくとも一方の一致の有無に基づいて、前記複数の撮像部で撮像される画像が表示される。
【００１０】
本技術の第２の側面の撮像制御装置は、画面上の複数の位置に対するタッチ、又は、近接の検出が可能なパネルに表示される、画像を撮像する複数の撮像部それぞれに対応する操作領域に対する、前記画面と平行な方向の平行操作に対応する操作信号を受け付ける操作信号受付部と、前記撮像部ごとに、前記撮像部に対応する操作領域に対する前記平行操作に応じて、前記撮像部の撮像方向を制御する制御部とを備え、前記制御部は、前記複数の撮像部のズーム倍率と撮像方向の少なくとも一方の一致の有無に基づいて、前記複数の撮像部で撮像される画像を表示させる撮像制御装置である。
【００１１】
本技術の第２の側面の撮像制御方法は、画面上の複数の位置に対するタッチ、又は、近接の検出が可能なパネルに表示される、画像を撮像する複数の撮像部それぞれに対応する操作領域に対する、前記画面と平行な方向の平行操作に応じて、前記撮像部ごとに、前記撮像部の撮像方向を制御する制御ステップを含み、前記制御ステップの処理では、前記複数の撮像部のズーム倍率と撮像方向の少なくとも一方の一致の有無に基づいて、前記複数の撮像部で撮像される画像を表示させる撮像制御方法である。
【００１２】
以上のような第２の側面においては、画面上の複数の位置に対するタッチ、又は、近接の検出が可能なパネルに表示される、画像を撮像する複数の撮像部それぞれに対応する操作領域に対する、前記画面と平行な方向の平行操作に応じて、前記撮像部ごとに、前記撮像部の撮像方向が制御され、前記複数の撮像部のズーム倍率と撮像方向の少なくとも一方の一致の有無に基づいて、前記複数の撮像部で撮像される画像が表示される。
【００１３】
なお、撮像制御装置は、独立した装置であっても良いし、１つの装置を構成している内部ブロックであっても良い。
【発明の効果】
【００１４】
本技術によれば、操作性を向上させることができる。
【図面の簡単な説明】
【００１５】
【図１】本技術を適用したディジタルカメラの一実施の形態の構成例を示すブロック図である。
【図２】撮像部１１Ｌ及び１１Ｒの構成例を示すブロック図である。
【図３】入出力パネル１４の表示例を示す図である。
【図４】入出力パネル１４の表示例を示す図である。
【図５】入出力パネル１４の表示例を示す図である。
【図６】カメラ制御処理を説明するフローチャートである。
【図７】カメラ制御処理を説明するフローチャートである。
【図８】カメラ制御処理を説明するフローチャートである。
【図９】カメラ制御処理を説明するフローチャートである。
【図１０】入出力パネル１４の表示例を示す図である。
【発明を実施するための形態】
【００１６】
［本技術を適用したディジタルカメラの一実施の形態］
【００１７】
図１は、本技術を適用したディジタルカメラとしての撮像装置の一実施の形態の構成例を示すブロック図である。
【００１８】
図１において、ディジタルカメラは、複数である、例えば、２つの撮像部１１Ｌ及び１１Ｒ、信号処理部１２、記録部１３、入出力パネル１４、操作部１７、並びに、制御部１８を有する。
【００１９】
以上のように、ディジタルカメラは、２つの撮像部１１Ｌ及び１１Ｒの有するので、２眼カメラである。
【００２０】
撮像部１１Ｌ及び１１Ｒは、それぞれ、制御部１８からの制御に従って、そこに入射する光に対応する画像を撮像し、その結果得られる画像（信号）を、信号処理部１２に供給する。
【００２１】
信号処理部１２は、制御部１８からの制御に従って、撮像部１１Ｌ及び１１Ｒからの画像に信号処理を施し、必要に応じて、記録部１３や入出力パネル１４に供給する。
【００２２】
記録部１３は、例えば、メモリカードや光ディスク、磁気ディスク(HD(Hard Disk))等のリムーバブルな記録媒体（図示せず）の着脱が可能になっており、信号処理部１２から供給される画像を、記録媒体に記録する。
【００２３】
また、記録部１３は、記録媒体に記録された画像を再生し、信号処理部１２を介して、入出力パネル１４に供給して表示させる。
【００２４】
なお、記録部１３において、記録媒体に記録された画像を再生する再生機能は、必須ではない。
【００２５】
入出力パネル１４は、検出部１５と表示部１６とを有する。
【００２６】
検出部１５は、外部からの入力を受け付ける（検知する）機能を有するデバイス、すなわち、例えば、静電式等のタッチパネルや、光を照射する光源と、その光の、物体からの反射光を受光するセンサとのセット等で構成される。
【００２７】
検出部１５は、外部からの物体、すなわち、例えば、ユーザの指や、ユーザが扱うタッチペン等が近接し、又は、タッチされると、その近接、又は、タッチの位置を検出し、その位置を表す検出信号を、制御部１８に供給する。
【００２８】
表示部１６は、画像を表示するデバイス、すなわち、例えば、液晶パネル等で構成され、信号処理部１２から供給される画像を表示する。
【００２９】
入出力パネル１４は、以上のような検出部１５と表示部１６とが一体的になっており、表示部１６において画像を表示し、検出部１５において、表示部１６に表示された画像に対する外部からの操作入力（タッチや近接）を検出することができる。
【００３０】
なお、本実施の形態では、検出部１５は、入出力パネル１４の画面（表示部１６の画面）上の１以上の位置（１つの位置、及び、複数の位置）に対するタッチ、又は、近接の検出が可能になっている。したがって、入出力パネル１４では、例えば、２本等の複数の指によるタッチ（及び近接）を検出することができるので、ユーザは、入出力パネル１４に対して、マルチタッチ操作を行うことができる。
【００３１】
操作部１７は、ユーザによって操作される物理的なボタン等であり、ユーザの操作に対応する操作信号を、制御部１８に供給する。
【００３２】
制御部１８は、CPU１９、不揮発性メモリ２０、及び、RAM２１を有し、入出力パネル１４（の検出部１５）からの検出信号や、操作部１７からの操作信号等に応じて、撮像部１１Ｌ及び１１Ｒ、並びに、信号処理部１２を制御する。
【００３３】
CPU１９は、不揮発性メモリ２０に記憶されたプログラムを実行することにより、ディジタルカメラを構成する各ブロックを制御する。
【００３４】
不揮発性メモリ２０は、CPU１９が実行するプログラムや、CPU１９の動作上記憶しておくことが必要なデータ、ユーザが操作部１７等を操作することにより設定した撮像パラメータ等の、ディジタルカメラの電源がオフされたときにも保持する必要があるデータ（プログラムを含む）を記憶する。
【００３５】
RAM２１は、CPU１９の動作上必要なデータを一時記憶する。
【００３６】
ここで、撮像部１１Ｌは、例えば、ディジタルカメラを被写体に向けたときに、被写体と反対側に位置する、ディジタルカメラを操作するユーザから見て、撮像部１１Ｒの左側に設けられている。したがって、撮像部１１Ｒは、撮像部１１Ｌの右側に設けられている。
【００３７】
また、入出力パネル１４は、例えば、ディジタルカメラの、撮像部１１Ｌ及び１１Ｒが設けられている側の反対側に設けられている。したがって、ユーザが、ディジタルカメラ（の撮像部１１Ｌ及び１１Ｒ）を被写体に向けたときに、入出力パネル１４は、ユーザの正面に位置する。
【００３８】
以上のように構成されるディジタルカメラでは、制御部１８において、CPU１９が、不揮発性メモリ２０等に記録されているプログラムを実行することにより、ディジタルカメラの各部を制御する。
【００３９】
撮像部１１Ｌ及び１１Ｒは、制御部１８からの制御に従って、そこに入射する光に対応する画像を撮像し、その結果得られる画像信号を、信号処理部１２に供給する。
【００４０】
信号処理部１２では、撮像部１１Ｌ及び１１Ｒからの画像信号に、（ディジタル）信号処理が施され、入出力パネル１４（の表示部１６）に供給される。入出力パネル１４では、信号処理部１２からの画像信号に対応する画像、すなわち、いわゆるスルー画が表示される。
【００４１】
また、制御部１８は、入出力パネル１４（の検出部１５）や操作部１７からの信号に従い、所定の処理を実行する。
【００４２】
すなわち、入出力パネル１４や操作部１７が、例えば、撮像を行うように操作されると、制御部１８は、信号処理部１２を制御することにより、撮像部１１Ｌや１１Ｒからの画像信号を圧縮符号化させ、記録部１３に装着された記録媒体に記録させる。
【００４３】
その他、制御部１８は、信号処理部１２を制御することにより、入出力パネル１４（の表示部１６）に、UIとしてのアイコン等を表示させる。
【００４４】
また、制御部１８は、信号処理部１２を制御することにより、記録部１３に、記録媒体から画像を再生させ、入出力パネル１４に表示させる。
【００４５】
なお、ディジタルカメラは、例えば、AF(Auto focus)機能、AE(Auto Exposure)機能、AWB(Auto White Balance)機能等を有しており、これらの機能は、制御部１８において、CPU１９がプログラムを実行することにより実現される。
【００４６】
また、CPU１９に実行させるプログラムは、例えば、リムーバブルな記録媒体からディジタルカメラにインストールすることや、ネットワークを介してダウンロードし、ディジタルカメラにインストールすることができる。
【００４７】
［撮像部１１Ｌ及び１１Ｒの構成例］
【００４８】
図２は、図１の撮像部１１Ｌ及び１１Ｒの構成例を示すブロック図である。
【００４９】
撮像部１１Ｌは、撮像系４１Ｌ、画像処理部４２Ｌ、及び、駆動部４３Ｌを有する。
【００５０】
撮像系４１Ｌは、光学系５１Ｌ、及び、撮像素子５４Ｌを有する。
【００５１】
光学系５１Ｌは、レンズ群５２Ｌ、及び、絞り５３Ｌを有し、そこに入射する光を調整して、撮像素子５４Ｌに入射させる。
【００５２】
すなわち、レンズ群５２Ｌは、光軸方向に移動してフォーカスを調整するフォーカスレンズや、ズームを調整するズームレンズ等からなり、被写体からの光を、絞り５３Ｌを介して、撮像素子５４Ｌ上に結像させる。
【００５３】
なお、レンズ群５２Ｌには、その他、例えば、光軸と直交する方向（垂直な方向）に移動して、いわゆる手ぶれを補正する防振レンズ等として機能するレンズを含めることができる。この場合、レンズ群５２Ｌを有する光学系５１Ｌは、手ぶれを補正する手ぶれ補正機能を有する。
【００５４】
絞り５３Ｌは、開口のサイズを調整することにより、レンズ群５２Ｌから撮像素子５４Ｌに入射する光の光量を調整する。
【００５５】
撮像素子５４Ｌは、例えば、CCD(Charge Coupled Device)やCMOS(Complementary Metal Oxide Semiconductor)センサ等から構成され、被写体を撮像し、その結果得られる画像信号を出力する。
【００５６】
すなわち、撮像素子５４Ｌは、光学系５１Ｌから入射する光を受光し、その光を、受光量に応じた電気信号としての画像信号に光電変換して出力する。撮像素子５４Ｌが出力する画像信号は、画像処理部４２Ｌに供給される。
【００５７】
画像処理部４２Ｌは、撮像素子５４Ｌからの画像信号の増幅、A/D(Analog/Digital)変換、及び、ゲイン調整等を行う。さらに、画像処理部４２Ｌは、撮像素子５４Ｌからの画像信号について、ホワイトバランスを調整するホワイトバランス処理等の画像処理を、必要に応じて施し、信号処理部１２（図１）に供給する。
【００５８】
なお、画像処理部４２Ｌでは、その他、例えば、撮像素子５４Ｌにおいて、短期間に、高速のシャッタスピード（短い露光時間）で撮像された複数の画像を合成することによって、手ぶれを補正した画像を得る手ぶれ補正処理を、画像処理の１つとして行うことができる。
【００５９】
また、画像処理部４２Ｌには、制御部１８から制御信号が供給される。画像処理部４２Ｌは、制御部１８からの制御信号に従い、画像処理を行う。
【００６０】
すなわち、画像処理部４２Ｌは、制御部１８からの制御信号に従い、例えば、手ぶれ補正処理等の画像処理のオンとオフの切り替えを行う。
【００６１】
駆動部４３Ｌには、制御部１８から制御信号が供給される。
【００６２】
駆動部４３Ｌは、制御部１８からの制御信号に従い、撮像系４１Ｌを駆動する。
【００６３】
すなわち、駆動部４３Ｌは、制御部１８からの制御信号に従い、撮像系４１Ｌが有する光学系５１Ｌを駆動する。
【００６４】
具体的には、駆動部４３Ｌは、例えば、光学系５１Ｌが有するレンズ群５２Ｌのフォーカスレンズやズームレンズを駆動することにより、フォーカスやズーム倍率を調整する。
【００６５】
また、駆動部４３Ｌは、例えば、光学系５１Ｌが有する絞り５３Ｌを駆動し、絞り（絞り５３Ｌの開口）を調整する。
【００６６】
さらに、駆動部４３Ｌは、例えば、光学系５１Ｌが有するレンズ群５２Ｌの防振レンズの駆動をオン、又は、オフにすることで、光学系５１Ｌが有する手ぶれ補正機能のオンとオフの切り換えを行う。
【００６７】
また、駆動部４３Ｌは、撮像素子５４Ｌのシャッタスピードを調整する。
【００６８】
さらに、駆動部４３は、撮像系４１Ｌ全体を、例えば、パン又はチルトするように駆動することで、撮像系４１Ｌの光軸の方向（撮像素子５４Ｌの受光面と直交する、光学系５１Ｌの光軸の方向）、つまり、撮像系４１Ｌの撮像方向を調整する。
【００６９】
撮像部１１Ｒは、撮像部１１Ｌと同様に構成される。
【００７０】
すなわち、撮像部１１Ｒは、撮像系４１Ｒ、画像処理部４２Ｒ、及び、駆動部４３Ｒを有する。
【００７１】
撮像系４１Ｒは、光学系５１Ｒ、及び、撮像素子５４Ｒを有し、光学系５１Ｒは、レンズ群５２Ｒ、及び、絞り５３Ｒを有する。
【００７２】
撮像系４１Ｒ、画像処理部４２Ｒ、駆動部４３Ｒ、光学系５１Ｒ、レンズ群５２Ｒ、絞り５３Ｒ、及び、撮像素子５４Ｒは、撮像系４１Ｌ、画像処理部４２Ｌ、駆動部４３Ｌ、光学系５１Ｌは、レンズ群５２Ｌ、絞り５３Ｌ、及び、撮像素子５４Ｌとそれぞれ同様に構成される。
【００７３】
撮像部１１Ｌ及び１１Ｒは、上述のように、制御部１８によって制御される（制御部１８からの制御信号に従って動作する）が、制御部１８は、撮像部１１Ｌ及び１１Ｒのぞれぞれを、独立（別個）に制御することができる。
【００７４】
したがって、制御部１８は、撮像部１１Ｌが有する光学系５１Ｌと、撮像部１１Ｒが有する光学系５１Ｒとを、独立に制御することができる。
【００７５】
例えば、制御部１８は、光学系５１Ｌが有するレンズ群５２Ｌと、光学系５１Ｒが有するレンズ群５２Ｒとを、独立に制御すること、ひいては、光学系５１Ｌ（撮像部１１Ｌ）のズーム倍率と、光学系５１Ｒ（撮像部１１Ｒ）のズーム倍率とを独立に制御することや、光学系５１Ｌのフォーカスと、光学系５１Ｒのフォーカスとを、独立に制御することができる。
【００７６】
また、制御部１８は、光学系５１Ｌが有する絞り５３Ｌと、光学系５１Ｒが有する絞り５３Ｒとを、独立に制御することができる。
【００７７】
さらに、制御部１８は、光学系５１Ｌの手ぶれ補正機能のオンとオフの切り替えと、光学系５１Ｒの手ぶれ補正機能のオンとオフの切り替えとを、独立に制御することができる。
【００７８】
また、制御部１８は、画像処理部４２Ｌによる手ぶれ補正処理等の画像処理と、画像処理部４２Ｒによる手ぶれ補正処理等の画像処理とを、独立に制御することができる。
【００７９】
さらに、制御部１８は、撮像系４１Ｌ（撮像部１１Ｌ）の撮像方向と、撮像系４１Ｒ（撮像部１１Ｒ）の撮像方向とを、独立に制御することができる。
【００８０】
［入出力パネル１４の表示例］
【００８１】
図３は、図１の入出力パネル１４のスルー画の表示例を示す図である。
【００８２】
図２で説明したように、制御部１８は、撮像部１１Ｌ及び１１Ｒを、独立に制御することができる。その結果、撮像部１１Ｌ及び１１Ｒでは、ズーム倍率や、撮像方向が異なることがある。
【００８３】
そこで、入出力パネル１４では、撮像部１１Ｌ及び１１Ｒにおいて、ズーム倍率が一致し、かつ、撮像方向が一致している場合と、ズーム倍率と撮像方向のうちの少なくとも一方が異なる場合とで、異なる表示パターンで、スルー画を表示する。
【００８４】
図３Ａは、撮像部１１Ｌ及び１１Ｒにおいて、ズーム倍率が一致し、かつ、撮像方向が一致している場合の、入出力パネル１４でのスルー画の表示パターンを示す図である。
【００８５】
入出力パネル１４では、１つの画像表示領域６１に、（１つの）スルー画が表示される。
【００８６】
すなわち、入出力パネル１４では、例えば、撮像部１１Ｌ及び１１Ｒで撮像された画像のうちの一方の画像、又は、撮像部１１Ｌで撮像された画像と、撮像部１１Ｒで撮像された画像とを、信号処理部１２で信号処理することにより、裸眼で観察することができる3D画像が、画像表示領域６１に、スルー画として表示される。
【００８７】
ここで、１つの画像表示領域６１に、スルー画が表示される表示パターンを、１画面表示ともいう。
【００８８】
図３Ｂは、撮像部１１Ｌ及び１１Ｒにおいて、ズーム倍率と撮像方向のうちの少なくとも一方が異なる場合の、入出力パネル１４でのスルー画の表示パターンを示す図である。
【００８９】
入出力パネル１４では、２つの画像表示領域６１Ｌ及び６１Ｒそれぞれに、スルー画が表示される。
【００９０】
すなわち、入出力パネル１４では、画面の左側に、画像表示領域６１Ｌが設けられるとともに、画面の右側に、画像表示領域６１Ｒが設けられる。そして、画像表示領域６１Ｌに、撮像部１１Ｌで撮像された画像（以下、Ｌ画像ともいう）が、スルー画として表示され、画像表示領域６１Ｒに、撮像部１１Ｒで撮像された画像（以下、Ｒ画像ともいう）が、スルー画として表示される。
【００９１】
ここで、２つの画像表示領域６１Ｌ及び６１Ｒに、スルー画が表示される表示パターンを、２画面表示ともいう。
【００９２】
なお、図３では、撮像部１１Ｌ及び１１Ｒにおいて、ズーム倍率が一致し、かつ、撮像方向が一致している場合には、入出力パネル１４において、スルー画像を、１画面表示で表示することとしたが、撮像部１１Ｌ及び１１Ｒにおいて、ズーム倍率が一致し、かつ、撮像方向が一致している場合も、ズーム倍率と撮像方向のうちの少なくとも一方が異なる場合と同様に、スルー画像を、２画面表示で表示することが可能である。この場合、１画面表示と２画面表示の切り替えは、例えば、ユーザの操作に応じて行うことができる。
【００９３】
図４は、図１の入出力パネル１４の表示例を示す図である。
【００９４】
ここで、図１のディジタルカメラの動作モードには、２つの撮像部１１Ｌ及び１１Ｒの両方で画像を撮像する２眼モードと、２つの撮像部１１Ｌ及び１１Ｒのうちの一方だけで画像を撮像する１眼モードとがある。
【００９５】
図４は、動作モードが２眼モードである場合の入出力パネル１４の表示例を示している。
【００９６】
なお、動作モードは、例えば、入出力パネル１４に対する所定時間以上のタッチ等の入出力パネル１４や操作部１７の操作等で切り替えることができる。
【００９７】
２眼モードでは、入出力パネル１４において、図４に示すように、ユーザが操作すべき対象の領域である操作領域を表す操作領域アイコン６２Ｌ及び６２Ｒが、UIとして表示される。
【００９８】
ユーザは、例えば、操作領域アイコン６２Ｌを、左手の親指で、操作領域アイコン６２Ｒを、右手の親指で、それぞれ操作することができる。
【００９９】
操作領域アイコン６２Ｌ及び６２Ｒについては、ユーザは、入出力パネル１４の画面と垂直な方向の操作である垂直操作を行うことができる。
【０１００】
制御部１８は、入出力パネル１４に対する垂直操作に応じて、上述したような、撮像部１１Ｌ及び１１Ｒの制御や、信号処理部１２の制御を行うことができる。
【０１０１】
すなわち、例えば、制御部１８は、入出力パネル１４に対する垂直操作によって生じる、入出力パネル１４の操作領域アイコン６２Ｌ及び６２Ｒに対するタッチの圧力に応じて、撮像部１１Ｌ及び１１Ｒそれぞれのズーム倍率を、独立に制御する。
【０１０２】
具体的には、例えば、制御部１８は、操作領域アイコン６２Ｌに対するタッチの圧力が大であるほど、ズームインするように、撮像部１１Ｌのズーム倍率を制御する。同様に、制御部１８は、操作領域アイコン６２Ｒに対するタッチの圧力が大であるほど、ズームインするように、撮像部１１Ｒのズーム倍率を制御する。
【０１０３】
なお、制御部１８は、操作領域アイコン６２Ｌがタップされてから、垂直操作されると、その垂直操作によって生じる、操作領域アイコン６２Ｌに対するタッチの圧力に応じて、ズームアウトするように、撮像部１１Ｌのズーム倍率を制御する。
【０１０４】
同様に、制御部１８は、操作領域アイコン６２Ｒがタップされてから、垂直操作されると、その垂直操作によって生じる、操作領域アイコン６２Ｒに対するタッチの圧力に応じて、ズームアウトするように、撮像部１１Ｒのズーム倍率を制御する。
【０１０５】
制御部１８は、上述したように、撮像部１１Ｌ及び１１Ｒを、独立に制御するので、ユーザは、操作領域アイコン６２Ｌ及び６２Ｒに対して、撮像部１１Ｌがズームインし、撮像部１１Ｒがズームアウトするような操作を行うことができる。
【０１０６】
なお、入出力パネル１４（の検出部１５）が、入出力パネル１４に対するタッチの他、近接を検出することができる場合には、制御部１８は、入出力パネル１４に対する垂直操作を行う、例えば、ユーザの指等の、入出力パネル１４からの距離に応じて、撮像部１１Ｌ及び１１Ｒを制御することができる。
【０１０７】
また、図１のディジタルカメラにおいて、操作部１７に、ズーム倍率を調整する物理的なキーとしてのズームキーが設けられている場合には、制御部１８では、例えば、操作領域アイコン６２Ｌがタッチされながら、ズームキーが操作されたときには、撮像部１１Ｌのズーム倍率を、ズームキーの操作に従って制御し、操作領域アイコン６２Ｒがタッチされながら、ズームキーが操作されたときには、撮像部１１Ｒのズーム倍率を、ズームキーの操作に従って制御することができる。
【０１０８】
操作領域アイコン６２Ｌ及び６２Ｒについては、ユーザは、以上のように、垂直操作を行うことができる他、入出力パネル１４の画面と平行な方向の操作である平行操作（以下、水平操作ともいう）、すなわち、入出力パネル１４の画面をなぞるような操作を行うことができる。
【０１０９】
制御部１８は、入出力パネル１４に対する水平操作に応じて、上述したような、撮像部１１Ｌ及び１１Ｒの制御や、信号処理部１２の制御を行うことができる。
【０１１０】
すなわち、例えば、制御部１８は、入出力パネル１４に対する水平操作に応じて、撮像部１１Ｌ及び１１Ｒそれぞれの撮像方向を、独立に制御する。
【０１１１】
具体的には、例えば、制御部１８は、操作領域アイコン６２Ｌに対する水平操作が行われた場合、撮像部１１Ｌの撮像方向が、現在の撮像方向から、水平操作が行われた方向に、水平操作の操作量に対応する角度だけ傾くように、撮像系４１Ｌ（図２）を制御（駆動制御）する。
【０１１２】
例えば、いま、撮像部１１Ｌの撮像方向が、入出力パネル１４の画面と直交する、入出力パネル１４の画面から、その反対側の面に向かう方向（以下、正面方向ともいう）であるとし、操作領域アイコン６２Ｌを、右から左になぞるような水平操作が行われたこととすると、撮像部１１Ｌの撮像方向は、正面方向から、左にパンをしたような方向に変更される。
【０１１３】
同様に、制御部１８は、操作領域アイコン６２Ｒに対する水平操作が行われた場合、撮像部１１Ｒの撮像方向が、現在の撮像方向から、水平操作が行われた方向に、水平操作の操作量に対応する角度だけ傾くように、撮像系４１Ｒ（図２）を制御する。
【０１１４】
図５は、２眼モードでの入出力パネル１４の表示例を示す図である。
【０１１５】
図１において、信号処理部１２は、制御部１８の制御に従って、スルー画像を、入出力パネル１４に表示する。
【０１１６】
図３で説明したように、撮像部１１Ｌ及び１１Ｒにおいて、ズーム倍率と撮像方向のうちの少なくとも一方が異なる場合には、画像表示領域６１Ｌに、撮像部１１Ｌで撮像された画像（Ｌ画像）が、スルー画として表示されるとともに、画像表示領域６１Ｒに、撮像部１１Ｒで撮像された画像（Ｒ画像）が、スルー画として表示される２画面表示が行われる。
【０１１７】
図３では、画像表示領域６１Ｌ及び６１Ｒのサイズは、同一のサイズになっているが、２画面表示では、画像表示領域６１Ｌ及び６１Ｒのサイズを、それぞれ、撮像部１１Ｌ及び１１Ｒのズーム倍率に従って設定し、そのようなサイズの画像表示領域６１Ｌ及び６１Ｒに、スルー画を表示することができる。
【０１１８】
この場合、画像表示領域６１Ｌに表示されるスルー画としての、撮像部１１Ｌで撮像された画像（Ｌ画像）は、撮像部１１Ｌのズーム倍率に対応するサイズで表示される。
【０１１９】
同様に、画像表示領域６１Ｒに表示されるスルー画としての、撮像部１１Ｒで撮像された画像（Ｒ画像）は、撮像部１１Ｒのズーム倍率に対応するサイズで表示される。
【０１２０】
図５は、撮像部１１Ｌ及び１１Ｒそれぞれのズーム倍率ごと、及び、撮像方向ごとのスルー画の表示例を示している。
【０１２１】
なお、図５では、説明を簡単にするために、撮像部１１Ｌ及び１１Ｒがとり得るズーム倍率が、１倍、又は、２倍の２通りであり、撮像部１１Ｌ及び１１Ｒがとり得る撮像方向が、正面方向、又は、正面方向に対して所定の一定角度だけ外側に傾いた外向き方向の２通りであることとする。
【０１２２】
ここで、撮像部１１Ｌの外向き方向は、正面方向に対して左側の左向き方向であり、撮像部１１Ｒの外向き方向は、正面方向に対して右側の右向き方向である。
【０１２３】
（左の）撮像部１１Ｌのズーム倍率が１倍で、その撮像方向が正面方向であり、（右の）撮像部１１Ｒのズーム倍率が１倍で、その撮像方向が正面方向である場合、撮像部１１Ｌ及び１１Ｒのズーム倍率が一致し、かつ、撮像方向も一致しているので、１つの画像表示領域６１に、スルー画を表示する１画面表示が行われる。
【０１２４】
ここで、以上のような撮像部１１Ｌ及び１１Ｒ（の撮像系４１Ｌ及び４１Ｒ）のズーム倍率と撮像方向の状態を、図５に示すように、状態Ａともいう。
【０１２５】
撮像部１１Ｌのズーム倍率が１倍で、その撮像方向が正面方向であり、撮像部１１Ｒのズーム倍率が２倍で、その撮像方向が正面方向である場合、撮像部１１Ｌ及び１１Ｒのズーム倍率が一致していないので、２つの画像表示領域６１Ｌ及び６１Ｒに、スルー画を表示する２画面表示が行われる。
【０１２６】
また、２画面表示では、画像表示領域６１Ｌ及び６１Ｒのサイズは、それぞれ、撮像部１１Ｌ及び１１Ｒのズーム倍率に従って設定される。
【０１２７】
すなわち、例えば、撮像部１１Ｌで撮像されたＬ画像を表示する画像表示領域６１Ｌ、及び、撮像部１１Ｒで撮像されたＲ画像を表示する画像表示領域６１Ｒのサイズは、そのサイズの比が、撮像部１１Ｌのズーム倍率と、撮像部１１Ｒのズーム倍率との比に対応するように設定される。
【０１２８】
いまの場合、撮像部１１Ｌのズーム倍率が１倍で、撮像部１１Ｒのズーム倍率が２倍であるため、画像表示領域６１Ｌは、画像表示領域６１Ｒに比較して小さなサイズに設定され、画像表示領域６１Ｒは、画像表示領域６１Ｌに比較して大きなサイズに設定される。
【０１２９】
そして、小さなサイズの画像表示領域６１Ｌに、ズーム倍率が１倍で低いＬ画像が、スルー画として表示されるとともに、大きなサイズの画像表示領域６１Ｒに、ズーム倍率が２倍で高いＲ画像が、スルー画として表示される。
【０１３０】
ここで、以上のような撮像部１１Ｌ及び１１Ｒのズーム倍率と撮像方向の状態を、図５に示すように、状態Ｂともいう。
【０１３１】
なお、以上のように、撮像部１１Ｌ及び１１Ｒの撮像方向が同一方向であり、撮像部１１Ｌのズーム倍率が１倍で、撮像部１１Ｒのズーム倍率が２倍である場合には、ユーザは、撮像部１１Ｌ及び１１Ｒの撮像方向にある風景の広い範囲を、ズーム倍率が１倍の撮像部１１Ｌで（広角で）撮像するのと同時に、その風景の一部を拡大した画像を、ズーム倍率が２倍の撮像部１１Ｒで（望遠で）撮像することができる。
【０１３２】
すなわち、例えば、子供の運動会等のイベントにおいて、子供が参加している競技の全体の様子を、ズーム倍率の低い（広角の）撮像部１１Ｌで撮像するのと同時に、子供をズームアップした画像を、ズーム倍率の高い（望遠の）撮像部１１Ｒで撮像することができる。
【０１３３】
撮像部１１Ｌのズーム倍率が１倍で、その撮像方向が正面方向であり、撮像部１１Ｒのズーム倍率が１倍で、その撮像方向が右向き方向である場合、撮像部１１Ｌ及び１１Ｒの撮像方向が一致していないので、２つの画像表示領域６１Ｌ及び６１Ｒに、スルー画を表示する２画面表示が行われる。
【０１３４】
２画面表示では、上述したように、撮像部１１Ｌで撮像されたＬ画像を表示する画像表示領域６１Ｌ、及び、撮像部１１Ｒで撮像されたＲ画像を表示する画像表示領域６１Ｒのサイズは、そのサイズの比が、撮像部１１Ｌのズーム倍率と、撮像部１１Ｒのズーム倍率との比に対応するように設定される。
【０１３５】
いまの場合、撮像部１１Ｌ及び１１Ｒのズーム倍率は、いずれも１倍であるため、画像表示領域６１Ｌ及び６１Ｒは、同一のサイズに設定される。
【０１３６】
そして、同一のサイズの画像表示領域６１Ｌ及び６１Ｒに、ズーム倍率がいずれも１倍のＬ画像及びＲ画像が、それぞれ、スルー画として表示される。
【０１３７】
ここで、以上のような撮像部１１Ｌ及び１１Ｒのズーム倍率と撮像方向の状態を、図５に示すように、状態Ｃともいう。
【０１３８】
撮像部１１Ｌのズーム倍率が１倍で、その撮像方向が正面方向であり、撮像部１１Ｒのズーム倍率が２倍で、その撮像方向が右向き方向である場合、撮像部１１Ｌ及び１１Ｒのズーム倍率が一致せず、撮像方向も一致していないので、２つの画像表示領域６１Ｌ及び６１Ｒに、スルー画を表示する２画面表示が行われる。
【０１３９】
２画面表示では、上述したように、撮像部１１Ｌで撮像されたＬ画像を表示する画像表示領域６１Ｌ、及び、撮像部１１Ｒで撮像されたＲ画像を表示する画像表示領域６１Ｒのサイズは、そのサイズの比が、撮像部１１Ｌのズーム倍率と、撮像部１１Ｒのズーム倍率との比に対応するように設定される。
【０１４０】
いまの場合、撮像部１１Ｌのズーム倍率が１倍で、撮像部１１Ｒのズーム倍率が２倍であるため、画像表示領域６１Ｌは、画像表示領域６１Ｒに比較して小さなサイズに設定され、画像表示領域６１Ｒは、画像表示領域６１Ｌに比較して大きなサイズに設定される。
【０１４１】
そして、小さなサイズの画像表示領域６１Ｌに、ズーム倍率が１倍で低いＬ画像が、スルー画として表示されるとともに、大きなサイズの画像表示領域６１Ｒに、ズーム倍率が２倍で高いＲ画像が、スルー画として表示される。
【０１４２】
ここで、以上のような撮像部１１Ｌ及び１１Ｒのズーム倍率と撮像方向の状態を、図５に示すように、状態Ｄともいう。
【０１４３】
撮像部１１Ｌのズーム倍率が２倍で、その撮像方向が正面方向であり、撮像部１１Ｒのズーム倍率が１倍で、その撮像方向が正面方向である場合、撮像部１１Ｌ及び１１Ｒのズーム倍率が一致していないので、２つの画像表示領域６１Ｌ及び６１Ｒに、スルー画を表示する２画面表示が行われる。
【０１４４】
また、２画面表示では、画像表示領域６１Ｌ及び６１Ｒのサイズは、それぞれ、撮像部１１Ｌ及び１１Ｒのズーム倍率に従って設定される。
【０１４５】
すなわち、例えば、撮像部１１Ｌで撮像されたＬ画像を表示する画像表示領域６１Ｌ、及び、撮像部１１Ｒで撮像されたＲ画像を表示する画像表示領域６１Ｒのサイズは、そのサイズの比が、撮像部１１Ｌのズーム倍率と、撮像部１１Ｒのズーム倍率との比に対応するように設定される。
【０１４６】
いまの場合、撮像部１１Ｌのズーム倍率が２倍で、撮像部１１Ｒのズーム倍率が１倍であるため、画像表示領域６１Ｌは、画像表示領域６１Ｒに比較して大きなサイズに設定され、画像表示領域６１Ｒは、画像表示領域６１Ｌに比較して小さなサイズに設定される。
【０１４７】
そして、大きなサイズの画像表示領域６１Ｌに、ズーム倍率が２倍で高いＬ画像が、スルー画として表示されるとともに、小さなサイズの画像表示領域６１Ｒに、ズーム倍率が１倍で低いＲ画像が、スルー画として表示される。
【０１４８】
ここで、以上のような撮像部１１Ｌ及び１１Ｒのズーム倍率と撮像方向の状態を、図５に示すように、状態Ｅともいう。
【０１４９】
なお、以上のように、撮像部１１Ｌ及び１１Ｒの撮像方向が同一方向であり、撮像部１１Ｌのズーム倍率が２倍で、撮像部１１Ｒのズーム倍率が１倍である場合には、表示状態Ｂの場合と同様に、ユーザは、撮像部１１Ｌ及び１１Ｒの撮像方向にある風景を、ズーム倍率が１倍の撮像部１１Ｒで広角で撮像するのと同時に、ズーム倍率が２倍の撮像部１１Ｌで望遠で撮像することができる。
【０１５０】
撮像部１１Ｌのズーム倍率が２倍で、その撮像方向が正面方向であり、撮像部１１Ｒのズーム倍率が２倍で、その撮像方向が正面方向である場合、撮像部１１Ｌ及び１１Ｒのズーム倍率が一致し、かつ、撮像方向も一致しているので、１つの画像表示領域６１に、スルー画を表示する１画面表示が行われる。
【０１５１】
ここで、以上のような撮像部１１Ｌ及び１１Ｒのズーム倍率と撮像方向の状態を、図５に示すように、状態Ｆともいう。
【０１５２】
撮像部１１Ｌのズーム倍率が２倍で、その撮像方向が正面方向であり、撮像部１１Ｒのズーム倍率が１倍で、その撮像方向が右向き方向である場合、撮像部１１Ｌ及び１１Ｒのズーム倍率が一致せず、撮像方向も一致していないので、２つの画像表示領域６１Ｌ及び６１Ｒに、スルー画を表示する２画面表示が行われる。
【０１５３】
２画面表示では、上述したように、撮像部１１Ｌで撮像されたＬ画像を表示する画像表示領域６１Ｌ、及び、撮像部１１Ｒで撮像されたＲ画像を表示する画像表示領域６１Ｒのサイズは、そのサイズの比が、撮像部１１Ｌのズーム倍率と、撮像部１１Ｒのズーム倍率との比に対応するように設定される。
【０１５４】
いまの場合、撮像部１１Ｌのズーム倍率が２倍で、撮像部１１Ｒのズーム倍率が１倍であるため、画像表示領域６１Ｌは、画像表示領域６１Ｒに比較して大きなサイズに設定され、画像表示領域６１Ｒは、画像表示領域６１Ｌに比較して小さなサイズに設定される。
【０１５５】
そして、大きなサイズの画像表示領域６１Ｌに、ズーム倍率が２倍で高いＬ画像が、スルー画として表示されるとともに、小さなサイズの画像表示領域６１Ｒに、ズーム倍率が１倍で低いＲ画像が、スルー画として表示される。
【０１５６】
ここで、以上のような撮像部１１Ｌ及び１１Ｒのズーム倍率と撮像方向の状態を、図５に示すように、状態Ｇともいう。
【０１５７】
撮像部１１Ｌのズーム倍率が２倍で、その撮像方向が正面方向であり、撮像部１１Ｒのズーム倍率が２倍で、その撮像方向が右向き方向である場合、撮像部１１Ｌ及び１１Ｒの撮像方向が一致していないので、２つの画像表示領域６１Ｌ及び６１Ｒに、スルー画を表示する２画面表示が行われる。
【０１５８】
２画面表示では、上述したように、撮像部１１Ｌで撮像されたＬ画像を表示する画像表示領域６１Ｌ、及び、撮像部１１Ｒで撮像されたＲ画像を表示する画像表示領域６１Ｒのサイズは、そのサイズの比が、撮像部１１Ｌのズーム倍率と、撮像部１１Ｒのズーム倍率との比に対応するように設定される。
【０１５９】
いまの場合、撮像部１１Ｌ及び１１Ｒのズーム倍率は、いずれも２倍であるため、画像表示領域６１Ｌ及び６１Ｒは、同一のサイズに設定される。
【０１６０】
そして、同一のサイズの画像表示領域６１Ｌ及び６１Ｒに、ズーム倍率がいずれも２倍のＬ画像及びＲ画像が、それぞれ、スルー画として表示される。
【０１６１】
ここで、以上のような撮像部１１Ｌ及び１１Ｒのズーム倍率と撮像方向の状態を、図５に示すように、状態Ｈともいう。
【０１６２】
撮像部１１Ｌのズーム倍率が１倍で、その撮像方向が左向き方向であり、撮像部１１Ｒのズーム倍率が１倍で、その撮像方向が正面方向である場合、撮像部１１Ｌ及び１１Ｒの撮像方向が一致していないので、２つの画像表示領域６１Ｌ及び６１Ｒに、スルー画を表示する２画面表示が行われる。
【０１６３】
２画面表示では、上述したように、撮像部１１Ｌで撮像されたＬ画像を表示する画像表示領域６１Ｌ、及び、撮像部１１Ｒで撮像されたＲ画像を表示する画像表示領域６１Ｒのサイズは、そのサイズの比が、撮像部１１Ｌのズーム倍率と、撮像部１１Ｒのズーム倍率との比に対応するように設定される。
【０１６４】
いまの場合、撮像部１１Ｌ及び１１Ｒのズーム倍率は、いずれも１倍であるため、画像表示領域６１Ｌ及び６１Ｒは、同一のサイズに設定される。
【０１６５】
そして、同一のサイズの画像表示領域６１Ｌ及び６１Ｒに、ズーム倍率がいずれも１倍のＬ画像及びＲ画像が、それぞれ、スルー画として表示される。
【０１６６】
ここで、以上のような撮像部１１Ｌ及び１１Ｒのズーム倍率と撮像方向の状態を、図５に示すように、状態Ｉともいう。
【０１６７】
撮像部１１Ｌのズーム倍率が１倍で、その撮像方向が左向き方向であり、撮像部１１Ｒのズーム倍率が２倍で、その撮像方向が正面方向である場合、撮像部１１Ｌ及び１１Ｒのズーム倍率が一致せず、撮像方向も一致していないので、２つの画像表示領域６１Ｌ及び６１Ｒに、スルー画を表示する２画面表示が行われる。
【０１６８】
２画面表示では、上述したように、撮像部１１Ｌで撮像されたＬ画像を表示する画像表示領域６１Ｌ、及び、撮像部１１Ｒで撮像されたＲ画像を表示する画像表示領域６１Ｒのサイズは、そのサイズの比が、撮像部１１Ｌのズーム倍率と、撮像部１１Ｒのズーム倍率との比に対応するように設定される。
【０１６９】
いまの場合、撮像部１１Ｌのズーム倍率が１倍で、撮像部１１Ｒのズーム倍率が２倍であるため、画像表示領域６１Ｌは、画像表示領域６１Ｒに比較して小さなサイズに設定され、画像表示領域６１Ｒは、画像表示領域６１Ｌに比較して大きなサイズに設定される。
【０１７０】
そして、小さなサイズの画像表示領域６１Ｌに、ズーム倍率が１倍で低いＬ画像が、スルー画として表示されるとともに、大きなサイズの画像表示領域６１Ｒに、ズーム倍率が２倍で高いＲ画像が、スルー画として表示される。
【０１７１】
ここで、以上のような撮像部１１Ｌ及び１１Ｒのズーム倍率と撮像方向の状態を、図５に示すように、状態Ｊともいう。
【０１７２】
撮像部１１Ｌのズーム倍率が１倍で、その撮像方向が左向き方向であり、撮像部１１Ｒのズーム倍率が１倍で、その撮像方向が右向き方向である場合、撮像部１１Ｌ及び１１Ｒの撮像方向が一致していないので、２つの画像表示領域６１Ｌ及び６１Ｒに、スルー画を表示する２画面表示が行われる。
【０１７３】
２画面表示では、上述したように、撮像部１１Ｌで撮像されたＬ画像を表示する画像表示領域６１Ｌ、及び、撮像部１１Ｒで撮像されたＲ画像を表示する画像表示領域６１Ｒのサイズは、そのサイズの比が、撮像部１１Ｌのズーム倍率と、撮像部１１Ｒのズーム倍率との比に対応するように設定される。
【０１７４】
いまの場合、撮像部１１Ｌ及び１１Ｒのズーム倍率は、いずれも１倍であるため、画像表示領域６１Ｌ及び６１Ｒは、同一のサイズに設定される。
【０１７５】
そして、同一のサイズの画像表示領域６１Ｌ及び６１Ｒに、ズーム倍率がいずれも１倍のＬ画像及びＲ画像が、それぞれ、スルー画として表示される。
【０１７６】
ここで、以上のような撮像部１１Ｌ及び１１Ｒのズーム倍率と撮像方向の状態を、図５に示すように、状態Ｋともいう。
【０１７７】
撮像部１１Ｌのズーム倍率が１倍で、その撮像方向が左向き方向であり、撮像部１１Ｒのズーム倍率が２倍で、その撮像方向が右向き方向である場合、撮像部１１Ｌ及び１１Ｒのズーム倍率が一致せず、撮像方向も一致していないので、２つの画像表示領域６１Ｌ及び６１Ｒに、スルー画を表示する２画面表示が行われる。
【０１７８】
２画面表示では、上述したように、撮像部１１Ｌで撮像されたＬ画像を表示する画像表示領域６１Ｌ、及び、撮像部１１Ｒで撮像されたＲ画像を表示する画像表示領域６１Ｒのサイズは、そのサイズの比が、撮像部１１Ｌのズーム倍率と、撮像部１１Ｒのズーム倍率との比に対応するように設定される。
【０１７９】
いまの場合、撮像部１１Ｌのズーム倍率が１倍で、撮像部１１Ｒのズーム倍率が２倍であるため、画像表示領域６１Ｌは、画像表示領域６１Ｒに比較して小さなサイズに設定され、画像表示領域６１Ｒは、画像表示領域６１Ｌに比較して大きなサイズに設定される。
【０１８０】
そして、小さなサイズの画像表示領域６１Ｌに、ズーム倍率が１倍で低いＬ画像が、スルー画として表示されるとともに、大きなサイズの画像表示領域６１Ｒに、ズーム倍率が２倍で高いＲ画像が、スルー画として表示される。
【０１８１】
ここで、以上のような撮像部１１Ｌ及び１１Ｒのズーム倍率と撮像方向の状態を、図５に示すように、状態Ｌともいう。
【０１８２】
撮像部１１Ｌのズーム倍率が２倍で、その撮像方向が左向き方向であり、撮像部１１Ｒのズーム倍率が１倍で、その撮像方向が正面方向である場合、撮像部１１Ｌ及び１１Ｒのズーム倍率が一致せず、撮像方向も一致していないので、２つの画像表示領域６１Ｌ及び６１Ｒに、スルー画を表示する２画面表示が行われる。
【０１８３】
２画面表示では、上述したように、撮像部１１Ｌで撮像されたＬ画像を表示する画像表示領域６１Ｌ、及び、撮像部１１Ｒで撮像されたＲ画像を表示する画像表示領域６１Ｒのサイズは、そのサイズの比が、撮像部１１Ｌのズーム倍率と、撮像部１１Ｒのズーム倍率との比に対応するように設定される。
【０１８４】
いまの場合、撮像部１１Ｌのズーム倍率が２倍で、撮像部１１Ｒのズーム倍率が１倍であるため、画像表示領域６１Ｌは、画像表示領域６１Ｒに比較して大きなサイズに設定され、画像表示領域６１Ｒは、画像表示領域６１Ｌに比較して小さなサイズに設定される。
【０１８５】
そして、大きなサイズの画像表示領域６１Ｌに、ズーム倍率が２倍で高いＬ画像が、スルー画として表示されるとともに、小さなサイズの画像表示領域６１Ｒに、ズーム倍率が１倍で低いＲ画像が、スルー画として表示される。
【０１８６】
ここで、以上のような撮像部１１Ｌ及び１１Ｒのズーム倍率と撮像方向の状態を、図５に示すように、状態Ｍともいう。
【０１８７】
撮像部１１Ｌのズーム倍率が２倍で、その撮像方向が左向き方向であり、撮像部１１Ｒのズーム倍率が２倍で、その撮像方向が正面方向である場合、撮像部１１Ｌ及び１１Ｒの撮像方向が一致していないので、２つの画像表示領域６１Ｌ及び６１Ｒに、スルー画を表示する２画面表示が行われる。
【０１８８】
２画面表示では、上述したように、撮像部１１Ｌで撮像されたＬ画像を表示する画像表示領域６１Ｌ、及び、撮像部１１Ｒで撮像されたＲ画像を表示する画像表示領域６１Ｒのサイズは、そのサイズの比が、撮像部１１Ｌのズーム倍率と、撮像部１１Ｒのズーム倍率との比に対応するように設定される。
【０１８９】
いまの場合、撮像部１１Ｌ及び１１Ｒのズーム倍率は、いずれも２倍であるため、画像表示領域６１Ｌ及び６１Ｒは、同一のサイズに設定される。
【０１９０】
そして、同一のサイズの画像表示領域６１Ｌ及び６１Ｒに、ズーム倍率がいずれも２倍のＬ画像及びＲ画像が、それぞれ、スルー画として表示される。
【０１９１】
ここで、以上のような撮像部１１Ｌ及び１１Ｒのズーム倍率と撮像方向の状態を、図５に示すように、状態Ｎともいう。
【０１９２】
撮像部１１Ｌのズーム倍率が２倍で、その撮像方向が左向き方向であり、撮像部１１Ｒのズーム倍率が１倍で、その撮像方向が右向き方向である場合、撮像部１１Ｌ及び１１Ｒのズーム倍率が一致せず、撮像方向も一致していないので、２つの画像表示領域６１Ｌ及び６１Ｒに、スルー画を表示する２画面表示が行われる。
【０１９３】
２画面表示では、上述したように、撮像部１１Ｌで撮像されたＬ画像を表示する画像表示領域６１Ｌ、及び、撮像部１１Ｒで撮像されたＲ画像を表示する画像表示領域６１Ｒのサイズは、そのサイズの比が、撮像部１１Ｌのズーム倍率と、撮像部１１Ｒのズーム倍率との比に対応するように設定される。
【０１９４】
いまの場合、撮像部１１Ｌのズーム倍率が２倍で、撮像部１１Ｒのズーム倍率が１倍であるため、画像表示領域６１Ｌは、画像表示領域６１Ｒに比較して大きなサイズに設定され、画像表示領域６１Ｒは、画像表示領域６１Ｌに比較して小さなサイズに設定される。
【０１９５】
そして、大きなサイズの画像表示領域６１Ｌに、ズーム倍率が２倍で高いＬ画像が、スルー画として表示されるとともに、小さなサイズの画像表示領域６１Ｒに、ズーム倍率が１倍で低いＲ画像が、スルー画として表示される。
【０１９６】
ここで、以上のような撮像部１１Ｌ及び１１Ｒのズーム倍率と撮像方向の状態を、図５に示すように、状態Ｏともいう。
【０１９７】
撮像部１１Ｌのズーム倍率が２倍で、その撮像方向が左向き方向であり、撮像部１１Ｒのズーム倍率が２倍で、その撮像方向が右向き方向である場合、撮像部１１Ｌ及び１１Ｒの撮像方向が一致していないので、２つの画像表示領域６１Ｌ及び６１Ｒに、スルー画を表示する２画面表示が行われる。
【０１９８】
２画面表示では、上述したように、撮像部１１Ｌで撮像されたＬ画像を表示する画像表示領域６１Ｌ、及び、撮像部１１Ｒで撮像されたＲ画像を表示する画像表示領域６１Ｒのサイズは、そのサイズの比が、撮像部１１Ｌのズーム倍率と、撮像部１１Ｒのズーム倍率との比に対応するように設定される。
【０１９９】
いまの場合、撮像部１１Ｌ及び１１Ｒのズーム倍率は、いずれも２倍であるため、画像表示領域６１Ｌ及び６１Ｒは、同一のサイズに設定される。
【０２００】
そして、同一のサイズの画像表示領域６１Ｌ及び６１Ｒに、ズーム倍率がいずれも２倍のＬ画像及びＲ画像が、それぞれ、スルー画として表示される。
【０２０１】
ここで、以上のような撮像部１１Ｌ及び１１Ｒのズーム倍率と撮像方向の状態を、図５に示すように、状態Ｐともいう。
【０２０２】
なお、図５では、説明を簡単にするために、撮像部１１Ｌ及び１１Ｒがとり得るズーム倍率が、１倍と２倍の２通りとしたが、撮像部１１Ｌ及び１１Ｒそれぞれのズーム倍率としては、その他の値を採用することができる。
【０２０３】
そして、２画面表示では、上述したように、撮像部１１Ｌで撮像されたＬ画像を表示する画像表示領域６１Ｌ、及び、撮像部１１Ｒで撮像されたＲ画像を表示する画像表示領域６１Ｒのサイズは、そのサイズの比が、撮像部１１Ｌのズーム倍率と、撮像部１１Ｒのズーム倍率との比に対応するように設定される。
【０２０４】
例えば、撮像部１１Ｌのズーム倍率が１倍であり、撮像部１１Ｒのズーム倍率が２倍である場合には、撮像部１１Ｌのズーム倍率と、撮像部１１Ｒのズーム倍率との比は、１：２であるから、画像表示領域６１Ｌ及び６１Ｒのサイズは、そのサイズの比が、撮像部１１Ｌのズーム倍率と、撮像部１１Ｒのズーム倍率との比である１：２になるように設定される。
【０２０５】
また、例えば、撮像部１１Ｌのズーム倍率が２．３倍であり、撮像部１１Ｒのズーム倍率が３倍である場合には、撮像部１１Ｌのズーム倍率と、撮像部１１Ｒのズーム倍率との比は、２．３：３であるから、画像表示領域６１Ｌ及び６１Ｒのサイズは、そのサイズの比が、撮像部１１Ｌのズーム倍率と、撮像部１１Ｒのズーム倍率との比である２．３：３になるように設定される。
【０２０６】
なお、画像表示領域６１Ｌ及び６１Ｒのサイズについては、その最大値と最小値とが、あらかじめ決定されている。画像表示領域６１Ｌ及び６１Ｒのサイズは、その最大値を超えず、かつ、最小値未満にならないように設定（制限）される。
【０２０７】
［カメラ制御処理］
【０２０８】
図６ないし図９は、図１の制御部１８が行う、撮像部１１Ｌ及び１１Ｒの制御の処理（カメラ制御処理）を説明するフローチャートである。
【０２０９】
ここで、図７及び図８は、図６に続く図であり、図９は、図８に続く図である。
【０２１０】
ステップＳ１１において、制御部１８は、動作モードが、２眼モード、及び、１眼モードのうちの２眼モードであるかどうかを判定する。
【０２１１】
ステップＳ１１において、動作モードが２眼モードでないと判定された場合、すなわち、動作モードが１眼モードであり、例えば、撮像部１１Ｌ及び１１Ｒのうちのいずれか一方だけが動作している場合、処理は、ステップＳ１２に進み、制御部１８は、撮像部１１Ｌ及び１１Ｒのうちの、動作している方の撮像部を、１つの撮像部を有するディジタルカメラ（１眼のディジタルカメラ）で行われるのと同様に制御する通常制御を行う。
【０２１２】
また、ステップＳ１１において、動作モードが２眼モードであると判定された場合、処理は、ステップＳ１３に進み、制御部１８は、例えば、入出力パネル１４、又は、操作部１７が操作されることにより、動作モードが１眼モードから２眼モードに変更された直後であれば、撮像部１１Ｌの撮像系４１Ｌ（図２）、及び、撮像部１１Ｒの撮像系４１Ｒを、デフォルト状態にするように制御して、処理は、ステップＳ１４に進む。
【０２１３】
ここで、撮像系４１Ｌ及び４１Ｒのデフォルト状態とは、例えば、ズーム倍率が１倍で、撮像方向が正面方向になっている状態である。
【０２１４】
ステップＳ１４では、制御部１８は、Ｌ画像を撮像する撮像系４１Ｌ（図２）の撮像方向を調整するように、入出力パネル１４の操作アイコン６２Ｌ（図４）の水平操作（以下、左の撮像方向操作ともいう）がされたかどうかを判定する。
【０２１５】
ステップＳ１４において、左の撮像方向操作がされていないと判定された場合、処理は、ステップＳ１５に進み、制御部１８は、Ｌ画像を撮像する撮像系４１Ｌのズーム倍率を調整するように、入出力パネル１４の操作アイコン６２Ｌの垂直操作（以下、左のズーム操作ともいう）がされたかどうかを判定する。
【０２１６】
ステップＳ１５において、左のズーム操作がされていないと判定された場合、処理は、ステップＳ１６に進み、制御部１８は、Ｒ画像を撮像する撮像系４１Ｒ（図２）の撮像方向を調整するように、入出力パネル１４の操作アイコン６２Ｒ（図４）の水平操作（以下、右の撮像方向操作ともいう）がされたかどうかを判定する。
【０２１７】
ステップＳ１６において、右の撮像方向操作がされていないと判定された場合、処理は、ステップＳ１７に進み、制御部１８は、Ｒ画像を撮像する撮像系４１Ｒのズーム倍率を調整するように、入出力パネル１４の操作アイコン６２Ｒの垂直操作（以下、右のズーム操作ともいう）がされたかどうかを判定する。
【０２１８】
ステップＳ１７において、右のズーム操作がされていないと判定された場合、制御部１８は、撮像系４１Ｌ及び４１Ｒを、特に制御しない。
【０２１９】
この場合、ステップＳ１３において、撮像系４１Ｌ及び４１Ｒが、デフォルト状態にされていれば、撮像系４１Ｌ及び４１Ｒの状態は、例えば、図５で説明した状態Ａになる。
【０２２０】
また、ステップＳ１７において、右のズーム操作がされたと判定された場合、処理は、ステップＳ１８に進み、制御部１８は、右のズーム操作に応じて、例えば、ズーム倍率を２倍にするように、撮像系４１Ｒを制御する。
【０２２１】
この場合、ステップＳ１３において、撮像系４１Ｌ及び４１Ｒが、デフォルト状態にされていれば、撮像系４１Ｌ及び４１Ｒの状態は、例えば、図５で説明した状態Ｂになる。
【０２２２】
また、ステップＳ１６において、右の撮像方向操作がされたと判定された場合、処理は、ステップＳ１９に進み、制御部１８は、右の撮像方向操作に応じて、例えば、撮像系４１Ｒの撮像方向を、右向き方向にするように、撮像系４１Ｒを制御し、処理は、ステップＳ２０に進む。
【０２２３】
ステップＳ２０では、制御部１８は、右のズーム操作（撮像系４１Ｒのズーム倍率を調整する操作アイコン６２Ｒの垂直操作）がされたかどうかを判定する。
【０２２４】
ステップＳ２０において、右のズーム操作がされていないと判定された場合、制御部１８は、撮像系４１Ｌ及び４１Ｒを、特に制御しない。
【０２２５】
この場合、ステップＳ１３において、撮像系４１Ｌ及び４１Ｒが、デフォルト状態にされていれば、撮像系４１Ｌ及び４１Ｒの状態は、例えば、図５で説明した状態Ｃになる。
【０２２６】
また、ステップＳ２０において、右のズーム操作がされたと判定された場合、処理は、ステップＳ２１に進み、制御部１８は、右のズーム操作に応じて、例えば、ズーム倍率を２倍にするように、撮像系４１Ｒを制御する。
【０２２７】
この場合、ステップＳ１３において、撮像系４１Ｌ及び４１Ｒが、デフォルト状態にされていれば、撮像系４１Ｌ及び４１Ｒの状態は、例えば、図５で説明した状態Ｄになる。
【０２２８】
一方、ステップＳ１５において、左のズーム操作がされたと判定された場合、処理は、ステップＳ２２に進み、制御部１８は、左のズーム操作に応じて、例えば、ズーム倍率を２倍にするように、撮像系４１Ｌを制御し、処理は、図７のステップＳ３１に進む。
【０２２９】
図７のステップＳ３１において、制御部１８は、右の撮像方向操作（撮像系４１Ｒの撮像方向を調整するように、入出力パネル１４の操作アイコン６２Ｒの水平操作）がされたかどうかを判定する。
【０２３０】
ステップＳ３１において、右の撮像方向操作がされていないと判定された場合、処理は、ステップＳ３２に進み、制御部１８は、右のズーム操作（撮像系４１Ｒのズーム倍率を調整するように、入出力パネル１４の操作アイコン６２Ｒの垂直操作）がされたかどうかを判定する。
【０２３１】
ステップＳ３２において、右のズーム操作がされていないと判定された場合、制御部１８は、撮像系４１Ｌ及び４１Ｒを、特に制御しない。
【０２３２】
この場合、図６のステップＳ１３において、撮像系４１Ｌ及び４１Ｒが、デフォルト状態にされていれば、撮像系４１Ｌ及び４１Ｒの状態は、例えば、図５で説明した状態Ｅになる。
【０２３３】
また、ステップＳ３２において、右のズーム操作がされたと判定された場合、処理は、ステップＳ３３に進み、制御部１８は、右のズーム操作に応じて、例えば、ズーム倍率を２倍にするように、撮像系４１Ｒを制御する。
【０２３４】
この場合、ステップＳ１３において、撮像系４１Ｌ及び４１Ｒが、デフォルト状態にされていれば、撮像系４１Ｌ及び４１Ｒの状態は、例えば、図５で説明した状態Ｆになる。
【０２３５】
また、ステップＳ３１において、右の撮像方向操作がされたと判定された場合、処理は、ステップＳ３４に進み、制御部１８は、右の撮像方向操作に応じて、例えば、撮像系４１Ｒの撮像方向を、右向き方向にするように、撮像系４１Ｒを制御し、処理は、ステップＳ３５に進む。
【０２３６】
ステップＳ３５では、制御部１８は、右のズーム操作がされたかどうかを判定する。
【０２３７】
ステップＳ３５において、右のズーム操作がされていないと判定された場合、制御部１８は、撮像系４１Ｌ及び４１Ｒを、特に制御しない。
【０２３８】
この場合、図６のステップＳ１３において、撮像系４１Ｌ及び４１Ｒが、デフォルト状態にされていれば、撮像系４１Ｌ及び４１Ｒの状態は、例えば、図５で説明した状態Ｇになる。
【０２３９】
また、ステップＳ３５において、右のズーム操作がされたと判定された場合、処理は、ステップＳ３６に進み、制御部１８は、右のズーム操作に応じて、例えば、ズーム倍率を２倍にするように、撮像系４１Ｒを制御する。
【０２４０】
この場合、図６のステップＳ１３において、撮像系４１Ｌ及び４１Ｒが、デフォルト状態にされていれば、撮像系４１Ｌ及び４１Ｒの状態は、例えば、図５で説明した状態Ｈになる。
【０２４１】
図６に戻り、ステップＳ１４において、左の撮像方向操作がされたと判定された場合、処理は、ステップＳ２３に進み、制御部１８は、左の撮像方向操作に応じて、例えば、撮像系４１Ｌの撮像方向を、左向き方向にするように、撮像系４１Ｌを制御し、処理は、図８のステップＳ４１に進む。
【０２４２】
図８のステップＳ４１では、制御部１８は、左のズーム操作がされたかどうかを判定する。
【０２４３】
ステップＳ４１において、左のズーム操作がされていないと判定された場合、処理は、ステップＳ４２に進み、制御部１８は、右の撮像方向操作がされたかどうかを判定する。
【０２４４】
ステップＳ４２において、右の撮像方向操作がされていないと判定された場合、処理は、ステップＳ４３に進み、制御部１８は、右のズーム操作がされたかどうかを判定する。
【０２４５】
ステップＳ４３において、右のズーム操作がされていないと判定された場合、制御部１８は、撮像系４１Ｌ及び４１Ｒを、特に制御しない。
【０２４６】
この場合、図６のステップＳ１３において、撮像系４１Ｌ及び４１Ｒが、デフォルト状態にされていれば、撮像系４１Ｌ及び４１Ｒの状態は、例えば、図５で説明した状態Ｉになる。
【０２４７】
また、ステップＳ４３において、右のズーム操作がされたと判定された場合、処理は、ステップＳ４４に進み、制御部１８は、右のズーム操作に応じて、例えば、ズーム倍率を２倍にするように、撮像系４１Ｒを制御する。
【０２４８】
この場合、図６のステップＳ１３において、撮像系４１Ｌ及び４１Ｒが、デフォルト状態にされていれば、撮像系４１Ｌ及び４１Ｒの状態は、例えば、図５で説明した状態Ｊになる。
【０２４９】
また、ステップＳ４２において、右の撮像方向操作がされたと判定された場合、処理は、ステップＳ４５に進み、制御部１８は、右の撮像方向操作に応じて、例えば、撮像系４１Ｒの撮像方向を、右向き方向にするように、撮像系４１Ｒを制御し、処理は、ステップＳ４６に進む。
【０２５０】
ステップＳ４６では、制御部１８は、右のズーム操作がされたかどうかを判定する。
【０２５１】
ステップＳ４６において、右のズーム操作がされていないと判定された場合、制御部１８は、撮像系４１Ｌ及び４１Ｒを、特に制御しない。
【０２５２】
この場合、図６のステップＳ１３において、撮像系４１Ｌ及び４１Ｒが、デフォルト状態にされていれば、撮像系４１Ｌ及び４１Ｒの状態は、例えば、図５で説明した状態Ｋになる。
【０２５３】
また、ステップＳ４６において、右のズーム操作がされたと判定された場合、処理は、ステップＳ４７に進み、制御部１８は、右のズーム操作に応じて、例えば、ズーム倍率を２倍にするように、撮像系４１Ｒを制御する。
【０２５４】
この場合、図６のステップＳ１３において、撮像系４１Ｌ及び４１Ｒが、デフォルト状態にされていれば、撮像系４１Ｌ及び４１Ｒの状態は、例えば、図５で説明した状態Ｌになる。
【０２５５】
一方、ステップＳ４１において、左のズーム操作がされたと判定された場合、処理は、ステップＳ４８に進み、制御部１８は、左のズーム操作に応じて、例えば、ズーム倍率を２倍にするように、撮像系４１Ｌを制御し、処理は、図９のステップＳ５１に進む。
【０２５６】
図９のステップＳ５１では、制御部１８は、右の撮像方向操作がされたかどうかを判定する。
【０２５７】
ステップＳ５１において、右の撮像方向操作がされていないと判定された場合、処理は、ステップＳ５２に進み、制御部１８は、右のズーム操作がされたかどうかを判定する。
【０２５８】
ステップＳ５２において、右のズーム操作がされていないと判定された場合、制御部１８は、撮像系４１Ｌ及び４１Ｒを、特に制御しない。
【０２５９】
この場合、図６のステップＳ１３において、撮像系４１Ｌ及び４１Ｒが、デフォルト状態にされていれば、撮像系４１Ｌ及び４１Ｒの状態は、例えば、図５で説明した状態Ｍになる。
【０２６０】
また、ステップＳ５２において、右のズーム操作がされたと判定された場合、処理は、ステップＳ５３に進み、制御部１８は、右のズーム操作に応じて、例えば、ズーム倍率を２倍にするように、撮像系４１Ｒを制御する。
【０２６１】
この場合、図６のステップＳ１３において、撮像系４１Ｌ及び４１Ｒが、デフォルト状態にされていれば、撮像系４１Ｌ及び４１Ｒの状態は、例えば、図５で説明した状態Ｎになる。
【０２６２】
また、ステップＳ５１において、右の撮像方向操作がされたと判定された場合、処理は、ステップＳ５４に進み、制御部１８は、右の撮像方向操作に応じて、例えば、撮像系４１Ｒの撮像方向を、右向き方向にするように、撮像系４１Ｒを制御し、処理は、ステップＳ５５に進む。
【０２６３】
ステップＳ５５では、制御部１８は、右のズーム操作がされたかどうかを判定する。
【０２６４】
ステップＳ５５において、右のズーム操作がされていないと判定された場合、制御部１８は、撮像系４１Ｌ及び４１Ｒを、特に制御しない。
【０２６５】
この場合、図６のステップＳ１３において、撮像系４１Ｌ及び４１Ｒが、デフォルト状態にされていれば、撮像系４１Ｌ及び４１Ｒの状態は、例えば、図５で説明した状態Ｏになる。
【０２６６】
また、ステップＳ５５において、右のズーム操作がされたと判定された場合、処理は、ステップＳ５６に進み、制御部１８は、右のズーム操作に応じて、例えば、ズーム倍率を２倍にするように、撮像系４１Ｒを制御する。
【０２６７】
この場合、図６のステップＳ１３において、撮像系４１Ｌ及び４１Ｒが、デフォルト状態にされていれば、撮像系４１Ｌ及び４１Ｒの状態は、例えば、図５で説明した状態Ｐになる。
【０２６８】
以上のように、図１のディジタルカメラでは、制御部１８が、入出力パネル１４に対する垂直操作や水平操作に応じて、撮像部１１Ｌ及び１１Ｒそれぞれを独立に制御するので、ディジタルカメラの操作性を向上させることができる。
【０２６９】
すなわち、ユーザは、操作領域アイコン６２Ｌ及び６２Ｒ（図４）の操作により、例えば、撮像部１１Ｌ及び１１Ｒのズーム倍率と撮像方向の状態を、図５の状態ＡないしＰに、シームレスに切り替えることができる。
【０２７０】
また、例えば、操作領域アイコン６２Ｌ及び６２Ｒに対する水平操作で、撮像部１１Ｌ及び１１Ｒの撮像方向が変更され、操作領域アイコン６２Ｌ及び６２Ｒに対する垂直操作で、撮像部１１Ｌ及び１１Ｒのズーム倍率が変更されるので、ユーザは、複雑な操作をすることなく、いわば、直感的な操作で、撮像部１１Ｌ及び１１Ｒの撮像方向やのズーム倍率を、容易に変更することができる。
【０２７１】
［入出力パネル１４の他の表示例］
【０２７２】
図１０は、図１の入出力パネル１４の他の表示例を示す図である。
【０２７３】
図１０の入出力パネル１４の表示では、図４の表示に、視野角UI(User Interface)８０が重畳されている。
【０２７４】
視野角UI８０は、撮像部１１Ｌ及び１１Ｒそれぞれで撮像される撮像範囲を表す矩形状の画像（グラフィクス）であり、Ｌアイコン８１Ｌ、及び、Ｒアイコン８１Ｒ、焦点距離ライン８２Ｌ及び８２Ｒ、並びに、視野角ライン８３Ｌ及び８３Ｒを（GUIの部品として）有する。
【０２７５】
Ｌアイコン８１Ｌは、撮像部１１Ｌを模したアイコンであり、撮像部１１Ｌの撮像方向に対応する方向に向いた状態で表示される。
【０２７６】
Ｒアイコン８１Ｒは、撮像部１１Ｒを模したアイコンであり、撮像部１１Ｒの撮像方向に対応する方向に向いた状態で表示される。
【０２７７】
焦点距離ライン８２Ｌは、Ｌアイコン８１Ｌ、及び、Ｒアイコン８１Ｒの両方から近い所定の位置を中心とする円の円弧状のラインであり、Ｌアイコン８１Ｌから、焦点距離ライン８２Ｌとしての円弧状のラインまでの距離、つまり、所定の位置を中心とする、焦点距離ライン８２Ｌが円周の一部になっている円（以下、撮像部１１Ｌの焦点距離円ともいう）の半径は、撮像部１１Ｌの焦点距離（ひいては、ズーム倍率）に対応する。
【０２７８】
焦点距離ライン８２Ｒは、焦点距離ライン８２Ｌと同様に、所定の位置を中心とする円の円弧状のラインであり、Ｒアイコン８１Ｒから、焦点距離ライン８２Ｒとしての円弧状のラインまでの距離、つまり、所定の位置を中心とする、焦点距離ライン８２Ｒが円周の一部になっている円（以下、撮像部１１Ｒの焦点距離円ともいう）の半径は、撮像部１１Ｒの焦点距離に対応する。
【０２７９】
視野角ライン８３Ｌは、撮像部１１Ｌの焦点距離円の半径方向の２つの線分であり、その２つの線分がつくる角度が、撮像部１１Ｌ（で撮像される画像）の画角に対応する。また、視野角ライン８３Ｌとしての２つの線分がつくる角度を２等分する方向が、撮像部１１Ｌの撮像方向に対応する。
【０２８０】
視野角ライン８３Ｒは、撮像部１１Ｒの焦点距離円の半径方向の２つの線分であり、その２つの線分がつくる角度が、撮像部１１Ｒの画角に対応する。また、視野角ライン８３Ｒとしての２つの線分がつくる角度を２等分する方向が、撮像部１１Ｒの撮像方向に対応する。
【０２８１】
以上のような視野角UI８０では、撮像部１１Ｌ及び１１Ｒのズーム倍率が変更されると、変更後のズーム倍率（及び画角）に応じて、焦点距離ライン８２Ｌ及び８２Ｒ、並びに、視野角ライン８３Ｌ及び８３Ｒが変更される。
【０２８２】
また、撮像部１１Ｌ及び１１Ｒの撮像方向が変更されると、変更後の撮像方向に応じて、Ｌアイコン８１Ｌ、及び、Ｒアイコン８１Ｒ、並びに、視野角ライン８３Ｌ及び８３Ｒが変更される。
【０２８３】
ユーザは、視野角UI８０を参照することにより、撮像部１１Ｌ及び１１Ｒそれぞれで撮像される撮像範囲を認識することができる。
【０２８４】
また、ユーザは、視野角UI８０を参照することで、視野角ライン８３Ｌとしての半径方向の２つの線分のうちの、視野角ライン８３Ｒに近い方の線分と、視野角ライン８３Ｒとしての半径方向の２つの線分のうちの、視野角ライン８３Ｌに近い方の線分とが（ほぼ）重なるように、撮像部１１Ｌや１１Ｒの撮像方向を、容易に調整することができ、これにより、撮像部１１Ｌ及び１１Ｒそれぞれで撮像される画像を、いわば、つなぎ合わせた広画角のパノラマ画像を、容易に得ることができる。
【０２８５】
なお、視野角UI８０は、非表示にすることができる。視野角UI８０の表示と非表示（表示のオンとオフ）は、入出力パネル１４や操作部１７を操作することにより切り替えることができる。
【０２８６】
また、図１のディジタルカメラでは、撮像部１１Ｌ及び１１Ｒそれぞれで撮像された画像をつなぎ合わせて、パノラマ画像を生成することができる。パノラマ画像を生成するか、又は、そのようなパノラマ画像を生成せずに、撮像部１１Ｌ及び１１Ｒそれぞれで撮像された画像のままとするかは、入出力パネル１４や操作部１７を操作することにより切り替えることができる。
【０２８７】
パノラマ画像を生成するように、入出力パネル１４や操作部１７が操作された場合、制御部１８は、信号処理部１２を制御することにより、撮像部１１Ｌ及び１１Ｒそれぞれで撮像された画像をつなぎ合わせて、パノラマ画像を生成する信号処理を行わせる。
【０２８８】
ここで、本明細書において、コンピュータ(CPU)がプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０２８９】
また、プログラムは、１のコンピュータ（プロセッサ）により処理されるものであっても良いし、複数のコンピュータによって分散処理されるものであっても良い。
【０２９０】
なお、本技術の実施の形態は、上述した実施の形態に限定されるものではなく、本技術の要旨を逸脱しない範囲において種々の変更が可能である。
【０２９１】
すなわち、本実施の形態では、ディジタルカメラに、２つの撮像部１１Ｌ及び１１Ｒを設けたが、ディジタルカメラには、１つ、又は、３つ以上の撮像部を設けることができる。
【０２９２】
また、本技術は、静止画、及び、動画のいずれの撮像にも適用可能である。
【０２９３】
さらに、本実施の形態では、制御部１８において、２つの撮像部１１Ｌ及び１１Ｒそれぞれを、独立に制御することとしたが、制御部１８では、撮像部１１Ｌ及び１１Ｒのうちの一方の制御を、他方の制御に追従させ、これにおり、撮像部１１Ｌ及び１１Ｒに、同一の処理を行わせることができる。制御部１８において、撮像部１１Ｌ及び１１Ｒを、独立に制御するか、又は、撮像部１１Ｌ及び１１Ｒのうちの一方の制御を、他方の制御に追従させるかは、例えば、ユーザの操作に応じて切り替えることができる。
【０２９４】
なお、本技術は、以下のような構成をとることもできる。
【０２９５】
［１］
画面上の複数の位置に対するタッチ、又は、近接の検出が可能なパネルに対する画面と垂直な方向の垂直操作に対応する操作信号を受け付ける操作信号受付部と、
前記垂直操作に応じて、画像を撮像する複数の撮像部それぞれに関連する処理を、独立に制御する制御部と
を備える撮像制御装置。
［２］
前記制御部は、前記パネルに対するタッチの圧力に応じて、前記複数の撮像部それぞれを、独立に制御する
［１］に記載の撮像制御装置。
［３］
前記制御部は、前記パネルに近接する物体の、前記パネルからの距離に応じて、前記複数の撮像部それぞれを、独立に制御する
［１］に記載の撮像制御装置。
［４］
前記撮像部は、光学系を有し、
前記制御部は、前記複数の撮像部が有する光学系それぞれを、独立に制御する
［１］に記載の撮像制御装置。
［５］
前記光学系は、
レンズと
絞りと
を有し、
前記制御部は、前記複数の撮像部の光学系それぞれが有するレンズの駆動を、独立に制御する
［４］に記載の撮像制御装置。
［６］
前記制御部は、前記レンズの駆動を制御することにより、前記複数の撮像部それぞれのズーム倍率を、独立に制御する
［１］ないし｛３］のいずれかに記載の撮像制御装置。
［７］
前記制御部は、前記複数の撮像部で撮像される画像それぞれを、その画像を撮像した撮像部のズーム倍率に対応するサイズで表示させる
［６］に記載の撮像制御装置。
［８］
前記制御部は、前記レンズの駆動を制御することにより、前記複数の撮像部それぞれのフォーカスを、独立に制御する
［４］に記載の撮像制御装置。
［９］
前記制御部は、前記複数の撮像部の光学系それぞれが有する絞りを、独立に制御する
［４］に記載の撮像制御装置。
［１０］
前記光学系は、光軸と垂直な方向に移動することにより、手ぶれを補正する手ぶれ補正機能を有し、
前記制御部は、前記複数の撮像部の光学系それぞれが有する手ぶれ補正機能のオンとオフの切り換えを、独立に制御する
［４］に記載の撮像制御装置。
［１１］
前記撮像部は、
光学系と、
前記光学系からの光を画像信号に光電変換する撮像素子と、
前記撮像素子で得られる画像信号の画像処理を行う画像処理部と
を有し、
前記制御部は、前記複数の撮像部が有する前記画像処理部それぞれの画像処理を、独立に制御する
［１］ないし［１０］のいずれかに記載の撮像制御装置。
［１２］
前記画像処理部は、前記画像処理として、手ぶれを補正する手ぶれ補正処理を行い、
前記制御部は、前記複数の撮像部が有する前記画像処理部それぞれの手ぶれ補正処理のオンとオフの切り替えを、独立に制御する
［１１］に記載の撮像制御装置。
［１３］
前記制御部は、前記パネルに対する画面と平行な方向の平行操作に応じて、前記複数の撮像部それぞれの撮像方向を、独立に制御する
［１］ないし［１２］のいずれかに記載の撮像制御装置。
［１４］
前記パネルは、前記平行操作の対象となる操作領域を表示する
［１３］に記載の撮像制御装置。
［１５］
前記制御部は、前記複数の撮像部それぞれで撮像される撮像範囲を表示させる
［１３］又は［１４］に記載の撮像制御装置。
［１６］
画面上の複数の位置に対するタッチ、又は、近接の検出が可能なパネルに対する画面と垂直な方向の垂直操作に対応する操作信号を受け付けるステップと、
前記垂直操作に応じて、画像を撮像する複数の撮像部それぞれに関連する処理を、独立に制御するステップと
を含む撮像制御方法。
［１７］
画面上に対するタッチ、又は、近接の検出が可能なパネルに対する画面と平行な方向の平行操作に対応する操作信号を受け付ける操作信号受付部と、
前記平行操作に応じて、画像を撮像する撮像部の撮像方向を制御する制御部と
を備える撮像制御装置。
［１８］
前記パネルは、画面上の複数の位置に対するタッチ、又は、近接の検出が可能であり、
前記制御部は、前記平行操作に応じて、複数の撮像部それぞれの撮像方向を、独立に制御する
［１７］に記載の撮像制御装置。
［１９］
前記制御部は、前記複数の撮像部それぞれで撮像される撮像範囲を表示させる
［１８］に記載の撮像制御装置。
［２０］
画面上に対するタッチ、又は、近接の検出が可能なパネルに対する画面と平行な方向の平行操作に対応する操作信号を受け付けるステップと、
前記平行操作に応じて、画像を撮像する撮像部の撮像方向を制御するステップと
を含む撮像制御方法。
【符号の説明】
【０２９６】
１１Ｌ，１１Ｒ  撮像部，  １２  信号処理部，  １３  記録部，  １４  入出力パネル，  １５  検出部，  １６  表示部，  １７  操作部，  １８  制御部，  １９  CPU，  ２０  不揮発性メモリ，  ２１  RAM，  ４１Ｌ，４１Ｒ  撮像系，  ４２Ｌ，４２Ｒ  画像処理部，  ４３Ｌ，４３Ｒ  駆動部，  ５１Ｌ，５１Ｒ  光学系，  ５２Ｌ，５２Ｒ  レンズ群，  ５３Ｌ，５３Ｒ  絞り，  ５４Ｌ，５４Ｒ  撮像素子，  ６１，６１Ｌ，６１Ｒ  画像表示領域，  ６２Ｌ，６２Ｒ  操作領域アイコン，  ８０  視野角UI，  ８１Ｌ  Ｌアイコン，  ８１Ｒ  Ｒアイコン，  ８２Ｌ，８２Ｒ  焦点距離ライン，  ８３Ｌ，８３Ｒ  視野角ライン
【図１】
0005909889.tif 000002
【図２】
0005909889.tif 000003
【図３】
0005909889.tif 000004
【図４】
0005909889.tif 000005
【図５】
0005909889.tif 000006
【図６】
0005909889.tif 000007
【図７】
0005909889.tif 000008
【図８】
0005909889.tif 000009
【図９】
0005909889.tif 000010
【図１０】
0005909889.tif 000011